(57)【要約】【課題】逆傾斜させた後に、定盤とのこ刃とを簡単に直角に設定できる。【解決手段】定盤６には、定盤６とのこ刃との角度を鋭角にするための順傾斜ガイド部２１を有する順傾斜ガイド部材２２と、定盤６とのこ刃との角度を鈍角にするための逆傾斜ガイド部２３を有する逆傾斜ガイド部材２４とを設けるとともに、切断機本体３側には、回動軸２０を中心に順方向に回動したときに順傾斜ガイド部２１の任意の位置で固定可能な第１の固定手段を設け、順傾斜ガイド部材２２には、切断機本体３が回動軸を中心に逆方向に回動したときに逆傾斜ガイド部２３の任意の位置で固定可能な第２の固定手段を設け、順傾斜ガイド部材２２が定盤６に対して直角の位置にあるとき、第１の固定手段を順傾斜ガイド部２１の一端に固定した状態で、逆傾斜ガイド部材２４の一部を順傾斜ガイド部材２２に当接させる。【選択図】図１
2010201883.tif 000002
【特許請求の範囲】
【請求項１】
切断機本体にのこ刃とのこ刃駆動用電動モータとを設けるとともに、切断機本体の下部には被切断材上に載置される定盤を配置し、切断機本体と定盤とはのこ刃の切断方向と平行に設けられた回動軸を介して回動可能に連結し、上記定盤に対するのこ刃の角度を上記回動軸を中心にして直角と鋭角と鈍角に回動するように調整可能とした携帯用切断機において、
上記定盤には、定盤とのこ刃との角度を鋭角にするための順傾斜ガイド部を有する順傾斜ガイド部材と、定盤とのこ刃との角度を鈍角にするための逆傾斜ガイド部を有する逆傾斜ガイド部材とを設けるとともに、
上記切断機本体側には、上記回動軸を中心に順方向に回動したときに上記順傾斜ガイド部の任意の位置で固定可能な第１の固定手段を設け、上記順傾斜ガイド部材には、上記切断機本体３が回動軸を中心に逆方向に回動したときに上記逆傾斜ガイド部の任意の位置で固定可能な第２の固定手段を設け、
上記順傾斜ガイド部材が定盤に対して直角の位置にあるとき、第１の固定手段を順傾斜ガイド部の一端に固定した状態で、逆傾斜ガイド部材の一部を順傾斜ガイド部材に当接させる
ことを特徴とする携帯用切断機。
【請求項２】
第１の固定手段及び第２の固定手段を締め緩めすることにより、上記順傾斜ガイド部と逆傾斜ガイド部に固定し又は移動可能としたことを特徴とする、請求項１に記載の携帯用切断機。
【請求項３】
上記順傾斜ガイド部材を弾性手段により上方に回動させて上記第１の固定手段が上記順傾斜ガイド部に沿ってその下端の初期位置まで移動するように付勢したことを特徴とする、請求項２に記載の携帯用切断機。
【発明の詳細な説明】
【技術分野】
【０００１】
本発明は携帯用切断機に関する。
【背景技術】
【０００２】
従来のこの種の携帯用切断機は定盤上にのこ刃を設けた切断機本体を回動可能に設け、のこ刃の下部を定盤の下方に突出させた構成になっている。
【０００３】
上記携帯用切断機は通常は被切断材の小口がその表面に対して直角になるように切断する場合が多い。しかし、例えば２本の枠材を直角に結合する場合のように、被切断材の小口をその表面に対して直角でなく、鋭角に傾斜（順傾斜）させて切断することが必要な場合がある。そのため、切断角度を調整する機構が設けられている。
【０００４】
また、最近はリフォーム時に元の床材を壁際まで切断する場合のように、いわゆる際切りとよばれる切り方ができるように、定盤に対してのこ刃を鈍角に傾斜（逆傾斜）させて切断できるような構造のものが提案実施されている。
【０００５】
このように、のこ刃と定盤とが直角をなす基本の状態から、順傾斜と逆傾斜の両方を行わせる場合、従来からあった順傾斜位置を決める湾曲した長穴状のガイド部を逆傾斜方向に延長して使用する構造となっている。
【０００６】
ところで、使用頻度が最も高いのは、のこ刃を定盤に対して直角にして使用する場合なので、直角が決まるように、上記定盤にはストッパを設け、上記定盤に対するのこ刃の角度が直角となったときにストッパが切断機本体に当接するように構成されている（特許文献１、２参照）。そして、逆傾斜させるときは、上記ストッパを退避させ、逆傾斜による使用が終了したときは、定盤を順傾斜方向に回動させた後、直角となる初期位置を通過させてストッパを元の位置に移動させ、その後ストッパに切断機本体を当接させて調整ボルト等の固定手段によって固定するという作業が必要となる。
【先行技術文献】
【特許文献】
【０００７】
【特許文献１】特開２００６−１１５１号公報
【発明の概要】
【発明が解決しようとする課題】
【０００８】
しかしながら、従来の方式では、逆傾斜を解除した後にのこ刃を初期位置に速やかに復帰させることが面倒である。その理由は、上述のように、逆傾斜を解除した後、いったん切断機本体と定盤との間の角度が直角となる初期位置を越える位置まで回動させて退避したストッパを元の位置に戻した後、再び定盤に対して切断機本体を初期位置に向けて回動させてストッパに当て、調整ボルトを固定しなければならず、しかもこの作業を切断機を持った状態で行なわなければならなかったからである。また、初期位置を決定するストッパは可動構造なので、退避作動と復帰作動を繰り返すうちに直角の精度が狂ってくる可能性が高い。作業者は直角の精度にこだわるので、ときどきそれを確認しなければならなかった。
【０００９】
本発明は上記問題点を解消し、順傾斜と逆傾斜の両方が可能であるとともに、逆傾斜させた後に、定盤とのこ刃とを簡単に直角に設定することができ、また直角の精度が永く保持できる携帯用切断機を提供することをその課題とする。
【課題を解決するための手段】
【００１０】
前記課題を解決するため、請求項１に係る発明は、切断機本体にのこ刃とのこ刃駆動用電動モータとを設けるとともに、切断機本体の下部には被切断材上に載置される定盤を配置し、切断機本体と定盤とはのこ刃の切断方向と平行に設けられた回動軸を介して回動可能に連結し、上記定盤に対するのこ刃の角度を上記回動軸を中心にして直角と鋭角と鈍角に回動するように調整可能とした携帯用切断機において、上記回動軸を中心に順方向に回動したときに任意の位置でのこ刃と定盤とを固定可能な順傾斜ガイド部材と、回動軸を中心に逆方向に回動したときに任意の位置でのこ刃と定盤とを固定可能な逆傾斜ガイド部材とを別個に設け、上記のこ刃と定盤とを順傾斜ガイド部材によるガイドの一端で固定させ、かつ逆傾斜ガイド部材の一部が順傾斜ガイド部材に当接したときにのこ刃と定盤とが直角の状態となるように設定したことを特徴とする。
【００１１】
請求項２に係る発明は、請求項１において、上記定盤には、定盤とのこ刃との角度を鋭角にするための順傾斜ガイド部を有する順傾斜ガイド部材と、定盤とのこ刃との角度を鈍角にするための逆傾斜ガイド部を有する逆傾斜ガイド部材とを別個に設け、上記切断機本体側には、上記回動軸を中心に順方向に回動したときに上記順傾斜ガイド部の任意の位置で固定可能な第１の固定手段を設け、上記順傾斜ガイド部材には、上記切断機本体が回動軸を中心に逆方向に回動したときに上記逆傾斜ガイド部の任意の位置で固定可能な第２の固定手段を設け、上記のこ刃と定盤とを上記第１の固定手段により順傾斜ガイド部の一端に固定させ、かつ逆傾斜ガイド部材の一部が順傾斜ガイド部材に当接したときにのこ刃と定盤とが直角の状態となるように設定したことを特徴とする。
【００１２】
請求項３に係る発明は、請求項２において、上記順傾斜ガイド部材を弾性手段により上方に回動させて上記第１の固定手段が上記順傾斜ガイド部に沿ってその下端の初期位置まで移動するように付勢したことを特徴とする。
【発明の効果】
【００１３】
請求項１に係る発明は、回動軸を中心に順方向に回動したときに任意の位置でのこ刃と定盤とを固定可能な順傾斜ガイド部材と、回動軸を中心に逆方向に回動したときに任意の位置でのこ刃と定盤とを固定可能な逆傾斜ガイド部材とを別個に設け、上記のこ刃と定盤とを順傾斜ガイド部材によるガイドの一端で固定させ、かつ逆傾斜ガイド部材の一部が順傾斜ガイド部材に当接したときにのこ刃と定盤とが直角の状態となるように設定した構成である。
【００１４】
したがって、直角の状態での順傾斜ガイド部材での固定刃と定盤との固定を解除することにより、定盤とのこ刃とは順傾斜方向に傾けることが可能となるから、一定の範囲内の所望の角度でのこ刃と定盤とを固定することにより被切断材を鋭角に切断することができる。また、直角の状態で逆傾斜ガイド部材での固定を解除することにより、定盤とのこ刃とは逆傾斜方向に傾けることが可能となるから、一定の範囲内の所望の角度でのこ刃と定盤とを固定することにより被切断材を鈍角に切断することができる。
【００１５】
また、のこ刃と定盤とを逆傾斜させて切断作業するときは、のこ刃と定盤とを順傾斜ガイド部材によるガイドの一端で固定させた状態にしてから、逆傾斜させて行なうから、逆傾斜状態での切断作業終了後は、定盤とのこ刃とを直角方向に戻すと、逆傾斜ガイド部材の一部が順傾斜ガイド部材に当接したときにのこ刃と定盤とが直角の状態となる。したがって、のこ刃と定盤とを固定すれば、簡単に直角状態に設定することができる。
【００１６】
請求項２に係る発明は、定盤には順傾斜ガイド部を有する順傾斜ガイド部材と、逆傾斜ガイド部を有する逆傾斜ガイド部材とを設けるとともに、切断機本体側には、その回動軸を中心に順方向に回動したときに順傾斜ガイド部の任意の位置で固定可能な第１の固定手段を設け、順傾斜ガイド部材には、切断機本体が回動軸を中心に逆方向に回動したときに逆傾斜ガイド部の任意の位置で固定可能な第２の固定手段を設け、順傾斜ガイド部材が定盤に対して直角の位置にあるとき、第１の固定手段を順傾斜ガイド部の一端に固定した状態で、逆傾斜ガイド部材の一部を順傾斜ガイド部材に当接させる構成である。
【００１７】
したがって、まず直角の状態で第１の固定手段による固定を解除することにより、定盤とのこ刃とは順傾斜方向に傾けることが可能となるから、順傾斜ガイド部の範囲内の所望の角度で第１の固定手段を順傾斜ガイド部材に固定することにより被切断材を鋭角に切断することができる。また、直角の状態で第２の固定手段による固定を解除することにより、定盤とのこ刃とは逆傾斜方向に傾けることが可能となるから、逆傾斜ガイド部の範囲内の所望の角度で第２の固定手段を逆傾斜ガイド部材に固定することにより被切断材を鈍角に切断することができる。
【００１８】
また、逆傾斜して使用した後、第２の固定手段による固定を解除すると、のこ刃と定盤はフリーになるので、初期位置に向けて回動させると、逆傾斜ガイド部材の一部が順傾斜ガイド部材に当接する。この時点でのこ刃と定盤とが直角になるから、第２の固定手段を逆傾斜ガイド部材に固定すればよい。
【００１９】
このように、初期位置を決める構造が固定されているため、直角精度に優れるとともに、直角の精度が永く保持できる。
【００２０】
請求項３に係る発明は、上記順傾斜ガイド部材を弾性手段により上方に回動させて上記第１の固定手段が上記順傾斜ガイド部に沿ってその下端の初期位置まで移動するように付勢したから、逆傾斜での切断作業が終了して逆傾斜ガイド部材の固定を解除すると、順傾斜ガイド部材は弾性手段の弾性力によって初期位置に復帰するから、第２の固定手段によって固定するだけでよい。したがって、のこ刃と定盤とを直角の初期状態にするのは非常に簡単である。
【図面の簡単な説明】
【００２１】
【図１】本発明に係る携帯用切断機の斜視図
【図２】上記携帯用切断機の縦断面図
【図３】上記携帯用切断機の要部の分解斜視図
【図４】上記携帯用切断機の側面図
【図５】（ａ）（ｂ）は図４のＸ−Ｘ線及びＹ−Ｙ線上の断面図
【図６】（ａ）（ｂ）は上記携帯用切断機の順傾斜状態を図４のＸ−Ｘ線及びＹ−Ｙ線上の断面で示した断面図
【図７】（ａ）（ｂ）は上記携帯用切断機の逆傾斜状態を図４のＸ−Ｘ線及びＹ−Ｙ線上の断面で示した断面図
【発明を実施するための形態】
【００２２】
図１〜図３において符号Ａは携帯用切断機を示す。この切断機は、のこ刃１とこののこ刃１を駆動する電動モータ２とを左右に並設した切断機本体３を定盤６の上部に支持させ、切断機本体の上部には操作用ハンドル４をのこ刃１の切断方向と平行に、つまり前後方向に配置し、上記操作用ハンドル４の後端下部に電動モータ駆動用のバッテリパック５を着脱自在に設けたものである。
【００２３】
電動モータ２の出力軸７には中間軸８の一端に固定した第１減速歯車１０が噛合し、さらに中間軸８の他端に固定した第２減速歯車１１が最終軸９に固定された第３減速歯車１２に噛合し、最終軸９にはのこ刃１が固定されている。これにより、電動モータ２が回転すると、その回転力は第１、第２、第３減速歯車１０、１１、１２を介して最終軸９に伝達され、のこ刃１が回転する。
【００２４】
なお、電動モータ２はモータハウジング１３に内装され、のこ刃１のほとんどは安全確保用のソーカバー１４によって覆われている。電動モータ２の出力軸７には電動モータ冷却用のファン１５も取付けられている。
【００２５】
また、定盤６は切断機本体３の下部に設けられた金属製の板状部材で、その一部には開口部１６が貫通形成され、開口部１６の下方にはのこ刃１の一部が露出し、円弧状のロアガード１７によって覆われている。このロアガード１７はのこ刃１の回転軸を中心に後方から上方に回動可能に装着されている。
【００２６】
さらに、操作用ハンドル４は、切断機本体３の上部に配置され、その前部は切断機本体３の前部のややモータハウジング１３側に一体的に設けられ、その後部は屈曲し、屈曲端部は切断機本体３の後面に一体的に設けられている。屈曲部４ａの下部と定盤６との間には、公知の着脱機構を備えたバッテリパック５の装着部が形成され、バッテリパック５は装着部の後方から差し込んで装着し、ロックを解除した後に引き抜いて外すことができるようになっている。
【００２７】
次に、上記携帯用切断機には、被切断材の小口がその表面に対して図４及び図５（ａ）（ｂ）のように直角でなく、図６（ａ）（ｂ）、図７（ａ）（ｂ）のように斜めになるように切断できるようにするため、切断角度を調整する斜め切断調整機構が設けられている。この機構は、切断機本体３と定盤６とをのこ刃１の切断方向と平行に設けられた前後２箇所の回動軸２０、１９を介して連結し、上記定盤６の一端側に設けた斜め切断用の２つの傾斜ガイド部材に対し、２つの固定手段（調整ボルトと固定レバー）を手で締め緩めすることにより、上記定盤６に対するのこ刃１を上記回動軸１９、２０を中心にして回動して所定の角度にできるようになっている。
【００２８】
すなわち、上記定盤６には、定盤６とのこ刃１との角度を鋭角にするための順傾斜ガイド部２１を有する順傾斜ガイド部材２２と、定盤６とのこ刃１との角度を鈍角にするための逆傾斜ガイド部２３を有する逆傾斜ガイド部材２４とが並んで設けられている。逆傾斜ガイド部材２４は定盤６に固定されているが、これに対し、順傾斜ガイド部材２２は上記回動軸２０を中心に回動可能に設けられている。また、順傾斜ガイド部２１と逆傾斜ガイド部２３は同軸（回動軸２０）を中心とする円弧状の長孔として形成されている。順傾斜ガイド部２１は逆傾斜ガイド部２３に対して大径の円弧をなしている。
【００２９】
回動軸２０にはつる巻きバネ３９が装着され、その一端は順傾斜ガイド部材２２に、他端は逆傾斜ガイド部材２４に係止している。これにより、順傾斜ガイド部材２２は水平状態の定盤６に対して常時上方に回動するように付勢されている。なお、つる巻きバネ３９のバネ力は、人力で定盤６を回動させることができる程度に設定されている。
【００３０】
なお、逆傾斜ガイド部材２４の先端の順傾斜ガイド部材２２側には当接部２５が突出形成されている。当接部２５には雌ネジ２６が形成され、この雌ネジ２６には調整ネジ２７が螺合している。これに対し、順傾斜ガイド部材２２の順傾斜ガイド部２１の裏面には上記当接部２５の受け面２８が形成されている。
【００３１】
上記切断機本体３のソーカバー１４の前部には支持部材３０が設けられ、支持部材３０の下部には支持片３１が形成され、支持片３１の一端には第１の調整ボルト３２が固定されている。第１の調整ボルト３２は順傾斜ガイド部２１を貫通し、その先端には第１の固定レバー３３の基部の雌ネジ３４が螺合している。
【００３２】
また、上記順傾斜ガイド部材２２の中間部には雌ネジ３４が形成されている。これに対し、雌ネジ３４には第２の固定レバー３５の基部に設けられた第２の調整ボルト３６が螺合している。第２の調整ボルト３６は逆傾斜ガイド部２３を貫通している。
【００３３】
上記構成において、定盤６に対してのこ刃１が図４及び図５（ａ）（ｂ）のように直角の初期状態になっているときは、第１の調整ボルト３２が順傾斜ガイド部２１の下端に当接して停止し、かつ順傾斜ガイド部材２２の受け面２８に逆傾斜ガイド部材２４の当接部２５（の調整ネジ２７の先端）が当接しているときである。
【００３４】
そして、定盤６に対してのこ刃１を定盤６と直角にした状態で第１の固定レバー３３を緩めると、第１の調整ボルト３２は順傾斜ガイド部２１に沿って上方に移動可能で、図６（ａ）（ｂ）に示すように切断機本体３は定盤６に対して回動軸２０を中心に順方向に回動させることができる。そして、順傾斜ガイド部材２２の任意の位置で第１の固定レバー３３を締め込むことでのこ刃１と定盤６とが固定され、のこ刃１の定盤６に対する順傾斜角度が定まる。
【００３５】
これに対し、定盤６に対してのこ刃１を直角にして第１の固定レバー３３を締め付け操作してのこ刃１と定盤６とを固定した状態で第２の固定レバー３５を緩めると、図７（ａ）（ｂ）に示すように第２の調整ボルト３６は逆傾斜ガイド部２３に沿って下方に移動可能となるから、のこ刃１を定盤６に対して回動軸２０を中心に逆方向に回動させることができる。そして、逆傾斜ガイド部材２４の任意の位置で第２の固定レバー３５を締め込み操作することでのこ刃１と定盤６とが固定され、切断機本体３の定盤６に対する逆傾斜角度が定まる。
【００３６】
ところで、のこ刃１を順傾斜ささせた後、直角の初期状態に戻すには、第１の固定レバー３３を緩めて単に定盤６に対してのこ刃１を直角方向に回動させ、第１の調整ボルト３２を順傾斜ガイド部２１に沿ってその下端に移動させて固定すればよい。第１の調整ボルト３２は順傾斜ガイド部２１の下端で停止するから、第１の固定レバー３３を回して固定するだけの作業により、のこ刃１は定盤６に対して直角となる。
【００３７】
次に、のこ刃１を逆傾斜させた後、直角の初期状態に戻す場合は、第２の固定レバー３５を緩めて定盤６に対してのこ刃１を直角方向に回動させてやればよい。これにより、つる巻きバネ３９のバネ力によってのこ刃１と一体の順傾斜ガイド部材２２と定盤６と一体の逆傾斜ガイド部材２４とは互いに近接するように回動し、最後に順傾斜ガイド部材２２の受け面２８に逆傾斜ガイド部材２４の当接部２５（の調整ネジ２７の先端）が当接する。逆傾斜ガイド部材２４の当接部２５が順傾斜ガイド部材２２の受け面２８に当接したところでのこ刃１の直角が決まるから、第２の固定レバー３５を回してのこ刃１と定盤６とを締め付け固定するだけの作業により、簡単かつ迅速にのこ刃１を定盤６に対して直角に設定することができる。
【００３８】
上述のように、のこ刃１を定盤６に対して順傾斜又は逆傾斜させた後に直角の状態に戻す作業は非常に簡単であるから、操作性が格段に向上する。
【００３９】
また、逆傾斜ガイド部材２４の当接部２５を受ける順傾斜ガイド部材２２の受け面２８は固定されているので、繰り返し使用しても、受け面２８の位置は変わることがなく常に一定である。したがって、受け面２８によって直角の精度に狂いが生じることはない。
【００４０】
なお、受け面２８以外の部品精度や取付誤差等により直角に狂いが生じたときは、調整ネジ２７を回してその先端が受け面２８に当接する位置を調整すればよい。
【００４１】
なお、上記順傾斜ガイド部材２２を弾性的に付勢する手段は、つる巻きバネ３９に限定されない。板バネでも弾性を有する他の部材でもよい。
【００４２】
また、固定手段もボルト締めによるものでなく、他の公知の手段であってもよい。
【符号の説明】
【００４３】
１  のこ刃
３  切断機本体
６  定盤
２０  回動軸
２２  順傾斜ガイド部材
２１  順傾斜ガイド部
２３  逆傾斜ガイド部
２４  逆傾斜ガイド部材
２５  当接部
２８  受け面
３２  第１の調整ボルト
３３  第１の固定レバー
３５  第２の固定レバー
３６  第２の調整ボルト
【図１】
2010201883.tif 000003
【図２】
2010201883.tif 000004
【図３】
2010201883.tif 000005
【図４】
2010201883.tif 000006
【図５】
2010201883.tif 000007
【図６】
2010201883.tif 000008
【図７】
2010201883.tif 000009